(57)【要約】  熱に曝されることからワイヤハーネス１６に接続される電子部材１４を保護するための熱スリーブ１２、その組合せ、およびその構築方法が提供される。熱スリーブ１２は、開放両端部３６，３８間で中心長手方向軸３４に沿って延在する内側キャビティ３２を画定する絶縁内層と、反射外層４０とを有する周方向に連続的な壁部を含む、管状部材２６を有する。スリーブ１２は、弾性のある反射性金属材料から構成される配置部材２５をさらに含む。配置部材２５は、管状部４２と、ワイヤハーネスに隣接する管状部から径方向内側に延在する少なくとも１つの弾性のある指状部４０とを有する。管状部４２は、管状部材２６の壁部の両端部３６，３８のうちの１つに固定的に取り付けられる。
2018525959.tif 000002
【特許請求の範囲】
【請求項１】
ワイヤハーネスに接続される電子部材を保護するための熱スリーブであって、
開放両端部間で中心長手方向軸に沿って延在する内側キャビティを画定する絶縁内層と、反射外層とを有する周方向に連続的な壁部を含む、管状部材と、
弾性のある反射性金属材料から構成される配置部材とを備え、前記配置部材は、管状部と、前記ワイヤハーネスに隣接する前記管状部から径方向内側に延在する少なくとも１つの弾性のある指状部とを有し、前記管状部は、前記管状部材の前記壁部の前記両端部のうちの１つに固定的に取り付けられる、熱スリーブ。
【請求項２】
前記少なくとも１つの弾性のある指状部は、前記管状部材の前記壁部から斜めの方向に延在する、請求項１に記載の熱スリーブ。
【請求項３】
前記少なくとも１つの弾性指状部は、複数の弾性のある指状部を含む、請求項２に記載の熱スリーブ。
【請求項４】
前記複数の弾性のある指状部は、互いに重なる長手方向に延在する縁部を有する、請求項３に記載の熱スリーブ。
【請求項５】
前記複数の弾性のある指状部は、略円錐形の形状を形成する、請求項３に記載の熱スリーブ。
【請求項６】
前記配置部材は、互いに向かって巻き付けられ、互いに固定される、長手方向に延在する縁部を有する、請求項１に記載の熱スリーブ。
【請求項７】
前記配置部材は、押出された金属の管である、請求項１に記載の熱スリーブ。
【請求項８】
センサと電気通信するように構成されたワイヤハーネスと組み合される熱スリーブであって、
開放両端部間で中心長手方向軸に沿って延在する内側キャビティを画定する絶縁内層と、反射外層とを有する周方向に連続的な壁部を含む、管状部材と、
弾性のある反射性金属材料から構成される配置部材とを備え、前記配置部材は、管状部と、前記ワイヤハーネスに隣接する前記管状部から径方向内側に延在する少なくとも１つの弾性のある指状部とを有し、前記管状部は、前記管状部材の前記壁部の前記両端部のうちの１つに固定的に取り付けられる、熱スリーブ。
【請求項９】
前記少なくとも１つの弾性のある指状部は、前記管状部の前記壁部から斜めの方向に延在し、前記ワイヤハーネスと係合する、請求項８に記載の熱スリーブ。
【請求項１０】
前記少なくとも１つの弾性指状部は、複数の弾性のある指状部を含む、請求項９に記載の熱スリーブ。
【請求項１１】
前記複数の弾性のある指状部は、互いに重なる長手方向に延在する縁部を有する、請求項１０に記載の熱スリーブ。
【請求項１２】
前記配置部材は、互いに重なる関係で巻き付けられる対向する縁部を有する、請求項８に記載の熱スリーブ。
【請求項１３】
前記配置部材は、押出された金属の管である、請求項８に記載の熱スリーブ。
【請求項１４】
熱に曝されることからワイヤハーネスに接続される電子部材を保護するためのスリーブの構築方法であって、
開放両端部間で中心長手方向軸に沿って延在する内側キャビティを画定する絶縁内層と、反射外層とを有する周方向に連続的な壁部を含む、管状部材を提供することと、
弾性のある反射性金属材料から構成される配置部材を提供することとを含み、前記配置部材は、管状部と、前記ワイヤハーネスに隣接する前記管状部から径方向内側に延在する少なくとも１つの弾性のあるフランジとを有し、前記方法はさらに、
前記配置部材の前記管状部を前記管状部材の前記壁部の前記両端部のうちの１つに固定することを含む、方法。
【請求項１５】
前記少なくとも１つの弾性のある指状部を、前記管状部材の前記壁部から斜めの方向に延在するように提供することをさらに含む、請求項１４に記載の方法。
【請求項１６】
前記少なくとも１つの弾性のある指状部を、複数の弾性のある指状部として提供することをさらに含む、請求項１５に記載の方法。
【請求項１７】
互いに重なる長手方向に延在する縁部を有する前記複数の弾性のある指状部を提供することをさらに含む、請求項１６に記載の方法。
【請求項１８】
互いに重なる関係に巻き付けられる対向する縁部を有する前記配置部材を提供することをさらに含む、請求項１４に記載の方法。
【請求項１９】
前記配置部材を、押出された金属の管として提供することをさらに含む、請求項１４に記載の方法。
【発明の詳細な説明】
【技術分野】
【０００１】
関連出願の相互参照
この出願は、２０１５年８月４日に提出された米国仮出願番号第６２／２００，７３５号および２０１６年８月３日に提出された米国特許出願番号第１５／２２７，２１０号の利益を主張し、参照によりその内容全体がここに組み込まれる。
【背景技術】
【０００２】
本発明の背景
１．技術分野
この発明は、概して、その中に収容される電気物体に対する熱保護を提供するための管状スリーブアセンブリに関し、より特定的には、その中に収容される電気物体の周りに選択的に解放可能に固定された位置でアセンブリを維持するための配置部材を含む管状スリーブアセンブリに関する。
【０００３】
２．関連技術
エンジン動作および性能を制御するためにデータを提供する酸素センサなどの、自動車用途において用いられるセンサは、車両の動作中の急激な放射熱、摩耗源および振動を含む過酷な環境要素を受ける車両のエンジン部品内にしばしば設置される。過酷な環境要素に起因して、振動を減衰し、摩耗に対する保護を提供し、および放射熱がセンサに達するのを防ぐために、比較的繊細で温度に敏感なセンサを保護スリーブで被覆することが有利であり、多くの場合要求される。このようなスリーブは、一般的に、両開放自由端部間に延在する細長い円筒形状の管を備える。円筒形状の管は、一般的に、たとえばポリエステルフェルトの不織材料などの減衰性内層と、たとえば内層の外面に積層されるアルミ箔層を備える反射外層とを含む。
【０００４】
保護円筒形状スリーブの構成およびその過酷環境のために、センサを機能させるために容易にスリーブを移動可能とする機構を提供すると同時に、スリーブが所望の位置に容易に確保され維持されることを可能にする態様で、センサの周りにスリーブを組み立てることは、典型的には困難である。接着剤、テープ、およびスリーブの円筒形状壁部の内面全体の締り嵌めが取付けを有効にするために用いられるが、これらの機構のそれぞれは、様々な不都合を被る。しっかり固定した間、少なくとも初めのうち一時的には、センサの周りのスリーブの接着剤の付着はスリーブをセンサに取り付けるため、将来的にセンサを機能させることを複雑にし、加えて、接着剤が時間が経つにつれて劣化することにより、スリーブがセンサの周りのその所望の保護位置から移動させられる。その結果、その初めのうちは接着された位置にある一方、この方法は、接着剤の接着接合を崩壊させることを要求するため、センサの機能のためのスリーブの容易な除去またはスリーブの再利用を可能としない。加えて、テープおよび締り嵌めは、エンジン部品内で直面する熱および振動の観点から信頼できず、テープはさらに部分的に取付けの負担となり、特に干渉が大きすぎる場合、またはスリーブがたとえばコネクタなどのアセンブリの経路に沿って増加した直径の障害物を横切ることが必要である場合、摩擦嵌めは部品公差の変化および組立の困難性に悩まされる。
【０００５】
さらなる周知の機構には、管状スリーブと別個の部品として作製されたエンドキャップの使用が含まれ、エンドキャップは、ホチキス、テープおよび／または接着剤などの別個の二次的な固定用具の使用を介してスリーブに固定される。別個の固定用具は機能的に有用であることを示し得るが、別個の固定部品を維持し、使用しなければならないこと、および用具を組み立て、固定するためのプロセスの結果、組立の費用および複雑さを付加することにより、絶縁スリーブの製造および組立の複雑さおよび費用が付加される。
【発明の概要】
【課題を解決するための手段】
【０００６】
本発明の概要
本発明の１つの局面に従えば、熱に曝されることからワイヤハーネスに接続される電子部材を保護するための熱スリーブが提供される。熱スリーブは、開放両端部間で中心長手方向軸に沿って延在する内側キャビティを画定する絶縁内層と、反射外層とを有する周方向に連続的な壁部を含む、管状部材を有する。スリーブは、弾性のある反射性金属材料から構成される配置部材をさらに含む。配置部材は、管状部と、ワイヤハーネスに隣接する管状部から径方向内側に延在する少なくとも１つの弾性のある指状部とを有する。管状部は、管状部材の壁部の両端部のうちの１つに固定的に取り付けられる。
【０００７】
本発明の別の局面に従えば、少なくとも１つの弾性のある指状部は、管状部材の壁部から離れるように略円錐形の形状で延在する。
【０００８】
本発明の別の局面に従えば、少なくとも１つの弾性のある指状部は、複数の弾性のある指状部を含む。
【０００９】
本発明の別の局面に従えば、弾性のある指状部は、互いに重なる側縁部を有する。
本発明の別の局面に従えば、センサと電気通信するように構成されたワイヤハーネスと組み合される熱スリーブが提供される。熱スリーブは、開放両端部間で中心長手方向軸に沿って延在する内側キャビティを画定する絶縁内層と、反射外層とを有する周方向に連続的な壁部を含む、管状部材を有する。スリーブは、弾性のある反射性金属材料から構成される配置部材をさらに有し、配置部材は、管状部と、ワイヤハーネスに隣接する管状部から径方向内側に延在する少なくとも１つの弾性のある指状部とを有し、管状部は、管状部材の壁部の両端部のうちの１つに固定的に取り付けられる。
【００１０】
本発明の別の局面に従えば、外部の熱の影響からワイヤハーネスに接続される電子部材を保護するためのスリーブの構築方法が提供される。当該方法は、開放両端部間で中心長手方向軸に沿って延在する内側キャビティを画定する絶縁内層と、絶縁内層の周りに固定された反射外層とを有する周方向に連続的な壁部を含む、管状部材を提供することを含む。さらに、弾性のある反射性金属材料から構成される配置部材を提供することを含み、配置部材は、管状部と、ワイヤハーネスに隣接する管状部から径方向内側に延在する少なくとも１つの弾性のあるフランジとを有する。またさらに、配置部材の管状部を前記管状部材の壁部の両端部のうちの１つに固定することを含む。
【００１１】
本発明の別の局面に従えば、当該方法は、平坦な金属材料片から配置部材を形成することと、平坦な材料片を管状構造に巻くこととをさらに含んでもよい。
【００１２】
本発明の別の局面に従えば、当該方法は、押出された管状の金属材料片から配置部材を形成することをさらに含んでもよい。
【００１３】
これらのおよび他の構成および本発明の利点は、現在好ましい実施形態およびベストモードの以下の詳細な説明、添付された請求項ならびに添付の図面の記載と結び付けて考慮したとき、より容易に理解されるであろう。
【図面の簡単な説明】
【００１４】
【図１】電子部品に接続されるワイヤハーネスの周りに配置されるように示される電子部品を保護するための、本発明の１つの局面に従って構築された熱スリーブアセンブリの斜視図である。
【図２】部分的に展開された状態における図１の熱スリーブアセンブリを示す断面側面図である。
【図３】組み立てられた状態における熱スリーブアセンブリを示す図２に類似の図である。
【図４】部分的に構築された状態で示される図１の保護スリーブアセンブリの配置部材の平面図である。
【図５】部分的に構築された状態で示される図１の保護スリーブアセンブリの本発明の別の局面に従って構築された配置部材の等角図である。
【図６】部分的に構築された状態で示される図１の保護スリーブアセンブリの本発明のさらに別の局面に従って構築された配置部材の等角図である。
【図７】完全に構築された状態で示される図６の配置部材の等角図である。
【発明を実施するための形態】
【００１５】
好ましい実施形態の詳細な説明
図面をより詳細に参照すると、図１〜図３は、本発明の１つの実施形態に従って構築されたアセンブリ１０を示す。アセンブリ１０は、極度の放射熱、摩耗、汚染および振動の影響からスリーブ１２内に少なくとも部分的に収容されるセンサなどの電子部材１４を保護するための自己保持型の配置部材２５を有する熱スリーブ１２を含む。センサ１４は、車両のエンジン部品１８上のワイヤハーネス１６の端部に接続されるものとして示される（図２および図３）。ワイヤハーネス１６は、曝露され絶縁されたワイヤの束、または概ね滑らかであるまたは廻旋状の外面２２を有する管などの、管２０とも呼ばれる、外側保護スリーブ内に囲まれた、絶縁されたワイヤの束として設けられ得るが、これは例示であって限定ではない。スリーブ１２は、ワイヤハーネス１６および管２０の長手方向軸２４に沿った隙間嵌めおよび摺動運動のために構成され、それが設けられるとスリーブ１２をセンサ１４の周りのその所望の保護位置へ配置する。スリーブ１２は、以下でさらに詳細に説明されるようなスリーブ１２に固定的に取り付けられる反射性配置部材２５を介して、センサを機能させるために望ましいであろうその保護位置から離れるようにスリーブ１２を選択的に摺動させることが望ましいとされるまで、保護位置に固定されたままとなるように構成される。スリーブ１２は、使用中、テープまたは接着剤などの二次的な固定具の必要なくその保護位置に維持されるため、アセンブリ１０は製造及び使用において、簡単に、審美的に美しく、かつ経済的に作製される。
【００１６】
スリーブ１２は任意の所望な長さを有して構築されてもよい。スリーブ１２は、内面３０と外面３１とを有する周方向に連続的な内壁２８を含む管状部材２６を有し、内面３０は、内側キャビティ３２を画定し、開放両端部３６，３８間で中心長手方向軸に沿って延在する。管状部材２６は、外面３１上に反射外面４０をさらに含む。本発明の別の局面に従う内壁２８は、撚り合わされる繊維の不織材料、織物材料、編物材料または編組材料から構築されてもよく、意図された環境における特質および熱曝露の厳しさに応じて、任意の所望な壁厚を有して構築されてもよい。
【００１７】
反射外面４０は、排気システムによって生成される温度など、エンジン区画に特有の極度の放射熱を反射するために設けられる。外層４０は、アルミニウムまたは他の所望の金属の箔層など、任意の好適な金属材料で形成され得る。箔外層４０は、比較的薄く、これによりスリーブ１２が曲がりくねった経路および角部にわたって可撓性を維持することを可能とする。外層４０は、所望のとおり、内壁２８の周りに螺旋巻きまたはたばこ巻きされ得る。所望であれば、外層４０を内壁２８の外面３１に接着することを容易にするために、任意の好適な耐熱性の接着剤が用いられてもよい。
【００１８】
本明細書で単に配置部材２５とも呼ばれる、反射性配置部材は、アルミニウムまたはばね鋼などの弾性のある反射性金属材料などから、たとえば約８〜１２ミルの間の厚さで、管状部材２６とは別個の材料片から構成される。配置部材２５は、金属材料の単一片から単独で提供され得るため、保持および遮蔽機能を果たすためにそこに固定される追加の材料を必要としない。配置部材２５は、略円筒形状の管状部４２と、少なくとも１つの可撓性で弾性のあるフランジとを有し、フランジは、指状部４４とも呼ばれ、それが設けられるとワイヤハーネス１６またはワイヤハーネスの管２０との隣接を維持する管状部４２およびの壁部２８から斜めの方向に径方向内側に延在する複数の指状部４４として示される。管状部４２は、略円筒形状であるものとして示され、管状部材２６の開放端部３６の外面の周りに閉じた比較的ぴったり合った受容のために寸法決めされ、その後、ホチキス、または高温耐性接着剤などの接着剤のような、機械的固定具を含む任意の好適な固定機構が用いられて配置部材２５を管状部材２６に対して固定してもよい。ここで、所望であれば、管状部４２が内壁２８の内部に閉じたぴったり合った受容のために寸法決めされてもよいことが考えられる。
【００１９】
例示であって限定ではないが、本明細書では複数形で示される、配置部材の単一の指状部または複数の指状部４４は、それが設けられると、ワイヤハーネス１６およびその管２０の周りの閉じた隣接受容のために管状部４２から斜めの方向に径方向内側に延在するように形成されて略円錐台形状を呈する。指状部４４は、らせん環の態様で可撓性を有して弾性的であり、この場合、指状部はワイヤハーネス１６および管２０が指状部４４の自由端部４８の内周によって形成される開口部４６を自由に通り抜けることを可能にし、すると指状部４４の弾性は指状部４４をワイヤハーネスまたは管２０とのばねのような隣接で維持する。ワイヤハーネス１６またはその管２０とのばね付勢された隣接を維持することによって、配置部材２５、したがって管状部材２６は、ワイヤハーネス１６および管２０に対して所望の組み立てられた位置に固定される。電子部材１４を機能させることを望む場合は、指状部４４はワイヤハーネスまたは管２０との接触から手動で離されてもよく、その後、そこへアクセスすることを可能にするためにスリーブ１２は電子部材１４から離れた方向に摺動されてもよい。配置部材２５を形成する材料の厚さは、薄すぎる場合には、指状部がワイヤハーネスまたは管２０とばねのような摩擦係合で維持するのに必要なばね状の弾性を有しないかもしれず、厚すぎる場合には、指状部４４を硬くしすぎるとともに、過剰な重量を追加し逆に製造に影響を与えるかもしれないという点で、重要である。
【００２０】
使用中、スリーブ１２は、ワイヤハーネス１６または管２０にわたって容易に摺動され得、すると、指状部４４の自由端部４８は、ワイヤハーネス１６または管２０に対して係合し径方向および軸方向に屈曲する。指状部の端部４８とワイヤハーネス１６または管２０との間の所定量の摩擦および干渉は、配置部材を形成するために用いられる金属材料の所望の厚さを選択することによって、ならびに指状部４４の形状および構成を制御することなどによって、指状部４４のばね定数を制御することによって提供され得る。ワイヤハーネス１６または管２０の周りに配置部材２５を配置する前に、指状部４４の自由端部４８によって形成される開口部４６がワイヤハーネス１６または管２０の最大有効直径Ｄよりも小さいことによって、ワイヤハーネスまたは管２０との係合に持ち込まれるときに、指状部４４は少なくともわずかに径方向外側に強制的に付勢される。このように、摩擦嵌めは、径方向内側に延在する付勢された指状部４４とワイヤハーネス１６または管２０との間に確立される。指状部４４の形状は、好ましくは、平坦な金属ストリップ（図４）などの配置部材２５の材料において形成される長手方向に延在する切込み５０を介して規定され、それは、適切な矩形の大きさに切断され、切込み５０を形成するように切断されて個々の指状部４４を形成し、その後、管状にたばこ巻きされて隣接するまたはわずかに重なる関係に対向する縁部５２，５４を持ち込み、その後、たとえばリベット、ホチキスおよび／または接着剤などの任意の好適な機械固定具などを介して管状形態に固定される。ここで、配置部材２５’が、ある長さの切込み５０（図５）に切断され、その後図１のものと類似または同様に見えるように折り畳まれる押出された金属管から形成されてもよいことがさらに考えられる。示されるように、切込み５０は、中心軸３４に概ね平行に延在するため、指状部４４は概ね矩形形状である。このように、図１〜図３に示されるように完成された円錐台形状に指状部４４を曲げる際に、指状部４４の長手方向に延在する縁部５６が少なくともわずかに互いに重なることにより、起こり得る破片の侵入および熱に対する良好なバリアをもたらす。切込み５０が別の方法で形成されることにより、図６に示されるように台形に形作られた指状部４４などの矩形ではない別の形状の指状部としてもよく、切込み５０が三角形または台形の切欠き領域５８を形成することにより、指状部４４の長手方向に延在する縁部５６が径方向内側に曲げられる際に互いに突合せ継手（図７）を形成するまたは実質的に形成するように、互いと重ねることが低減されたまたは重なることのない指状部４４としてもよいことが考えられる。切込み５０は、図６に示されるような図４の平坦金属ストリップに形成されることにより、図７に示されるように最終的に形成される指状部４４としてもよいことが認識されるべきである。
【００２１】
管２０が波形の管として提供された場合、指状部４４は、設置および除去の間には環状の波の山部Ｃ上で軸方向に屈曲するように付勢され得、波形の環状の谷部Ｖ内に少なくとも部分的に受けられるように所定の厚さを呈するように構築されてスリーブ１２をセンサ１４の周りのその意図された「使用時」の位置に維持することを容易にする。設置の間、指状部４４は、曲げられた指状部４４の自然のばね付勢に対して径方向外側に自動的に付勢されるようにされ、指状部４４は、折り畳まれた領域６２によって与えられるばね付勢の結果としてワイヤ１６または管２０の外面と摩擦係合で維持することにより、指状部４４が概ね円錐形状を呈するようにされる。指状部４４は光沢があり反射性であるため、外部の放射熱はキャビティ３２から離れるように反射され、これにより、電子部材１４を放射熱に曝されることから保護する。
【００２２】
明らかに、上記の教示に照らせば、本発明の多くの改良および変形が可能である。したがって、添付の請求項の範囲内で本発明は特定的に説明された以外の方法で実施されてもよいことが理解されるべきである。
【図１】
2018525959.tif 000003
【図２】
2018525959.tif 000004
【図３】
2018525959.tif 000005
【図４】
2018525959.tif 000006
【図５】
2018525959.tif 000007
【図６】
2018525959.tif 000008
【図７】
2018525959.tif 000009
【国際調査報告】
2018525959.tif 000010
2018525959.tif 000011